(57)【要約】【課題】   センサ部分を充実させることにより、従来の同様のシステムよりも防犯の機能をより高め、また、在宅医療・介護にも利用することができるホームセキュリティシステムを提供することを目的とする。【解決手段】  遠隔監視制御システムは、インターネットに接続されているホームコントローラと、ホームコントローラに接続され電気機器を監視し、制御するためのコントロールユニットと、インターネット接続されているサーバ２と、遠隔監視制御プログラムと、ユーザの携帯端末機から構成される。ユーザは、携帯端末機で閲覧中のウェブページからサーバ２に電子機器機の制御要求を送信し、サーバはこれをホームコントローラに送信する。これを受けて、ホームコントローラは、コントロールユニットに制御コマンドを送信する。コントロールユニットが制御コマンドを実行し、電気機器のステータスデータをホームコントローラに提供する。【選択図】図１
2006092035.tif 000002
【特許請求の範囲】
【請求項１】
情報を伝達する通信網に接続するための通信端末機と、
電気機器の動作状態を示すステータスデータを受信し、前記電気機器に制御信号を送信するためのコントロール手段と、
メモリに格納されているプログラムを実行して、前記通信端末機と通信し、かつ、前記コントロール手段と通信するための中央処理装置を備えたホームコントローラと、
前記電気機器の監視を行うユーザについての情報が登録されたユーザデータ、前記通信端末機を識別するために割り当てた第１識別番号、前記コントロールユニットを識別するために割り当てた第２識別番号を有するデータベースと、
前記データベースを記憶装置に記憶し、前記通信網に接続されたサーバと、
前記ホームコントローラを前記通信網によって前記サーバ上で動作して遠隔操作するための遠隔監視制御プログラムと、
前記ユーザが前記遠隔監視制御プログラムに対してデータを送信するための通信手段とからなる遠隔監視制御手段とからなり、
前記サーバと前記ホームコントローラは、前記通信網と前記通信端末機を介して通信可能である遠隔監視制御システムであって、
前記コントロール手段は、前記電気機器の動作状態を示す第１信号を前記ホームコントローラに送信し、
前記ホームコントローラは、前記第１信号を用いて第２信号を作成して前記サーバへ送信し、
前記遠隔監視制御プログラムは、
前記ユーザデータ、前記第２信号、前記第１識別番号及び前記第２識別番号を用いて、前記電気機器を特定し、
特定した前記電気機器の動作状況を前記ユーザに知らせる機能を有し、
前記ユーザが前記ステータスデータの要求、及び／又は、前記電気機器を制御するための信号である第３信号を前記通信手段から前記サーバに送信したとき、前記第３信号、前記ユーザデータ、前記第１識別番号、及び前記第２識別番号を用いてコマンド信号を作成し、
作成された前記コマンド信号を前記ホームコントローラに送信するものであり、
前記ホームコントローラは、
前記コマンド信号を受信し、前記コマンド信号の内容を解析して前記コントロール手段に送信し、前記前記コマンド信号の内容の実行を前記サーバに報告するものである
ことを特徴とする遠隔監視制御システム。
【請求項２】
請求項１において、
前記プログラムは、前記電気機器の異常を監視するためのセキュリティモードを有し、
前記セキュリティモードが設定されたとき、前記コントロール手段から前記ホームコントローラに送信されてくる前記第１信号が改めて設定された値と違うステータスデータを有する場合、前記プログラムは前記電気機器が異常であると判定し、
前記異常の内容を有する前記第２信号を作成して前記サーバへ送信する
ことを特徴とする遠隔監視制御システム。
【請求項３】
請求項２において、
前記電気機器は、建造物のドアの開閉、窓の開閉、窓ガラスの破壊を検知するためのセンサ手段、建造物の室内の状況を撮影するための撮影手段、音声を発生するための音声発生手段、前記建造物の室内の移動物体を検知するための移動物体検知手段の内１以上であり、
前記プログラムは、前記センサ手段及び／又は前記移動物体検知手段の前記ステータスデータが異常であるとき、前記撮影手段で前記撮影、及び／又は前記音声手段で前記音声を発生する
ことを特徴とする遠隔監視制御システム。
【請求項４】
請求項２又は３において、
生態情報による個人認証、鍵、ボタンから選択される１以上による認証機能を有する前記コントロール手段、又は、前記ユーザが前記遠隔監視制御手段から制御信号を送信する遠隔制御手段により前記セキュリティモードが設定され若しくは前記セキュリティモードの設定が解除される
ことを特徴とする遠隔監視制御システム。
【請求項５】
請求項４において、
前記プログラムは、前記センサ手段及び／又は前記移動物体検知手段の前記ステータスデータが異常であるとき、前記撮影手段で前記撮影し、
予め設定された第１所定時間以内に前記セキュリティモードの設定が解除されないと、前記音声手段で前記音声を発生し、
予め設定された第２所定時間以内に前記セキュリティモードの設定が解除されないと、前記音声手段で前記音声を発生し、前記異常の内容を有する前記第２信号を作成して前記サーバへ送信し、
前記セキュリティモードの設定が前記遠隔監視制御手段のみから解除されるような設定になる
ことを特徴とする遠隔監視制御システム。
【請求項６】
請求項３〜５の内から選択される１項において、
前記撮影手段で前記撮影した画像及び／又は映像は、前記撮影手段に接続されている記録媒体に記録され、及び／又は前記通信網に接続されて、前記ユーザ、前記サーバ、及び警備会社の中から選択される１以上に送信される
ことを特徴とする遠隔監視制御システム。
【請求項７】
請求項１〜６の内から選択される１項において、
前記サーバには、前記ユーザの専用のウェブページを作成し、
前記ウェブページには前記電気機器の動作状態を示すデータが反映され、
前記ユーザは、前記ユーザが所有する携帯端末機の前記インターネットへ接続サービス及び／又は、前記インターネットに接続されている電子計算機から前記ウェブページを閲覧し、
前記電気機器の動作状態を把握し、前記ステータスデータの要求及び／又は、前記第３信号を前記サーバに送信する
ことを特徴とする遠隔監視制御システム。
【請求項８】
請求項１〜７の内から選択される１項において、
前記遠隔監視制御プログラムは、前記電気機器の動作状況を前記ユーザが閲覧している前記ウェブページに反映させて、及び／又は、前記ユーザの電子メールアドレスに電子メールを送信して知らせする
ことを特徴とする遠隔監視制御システム。
【請求項９】
請求項１〜８の内から選択される１項において、
前記電気機器は、家電機器、防災機器、防犯機器、警備設備、介護機器、医療機器、環境測定機器、電源制御器、電力測定器、ＯＡ機器、赤外線によりコントロールされる機器、個人認証機器の中から選択される１以上である
ことを特徴とする遠隔監視制御システム。
【発明の詳細な説明】
【技術分野】
【０００１】
本発明は、遠隔監視制御システムに関する。特に、建造物の不正侵入者、建造物に設置された設備、家電製品の動作状態等の監視を行い、制御するための遠隔監視制御システムに関する。更に詳しくは、インターネット網、有線又は無線等の通信網を利用して建造物に設置された設備、家電製品を制御する遠隔監視制御システムに関する。
【背景技術】
【０００２】
家庭には、近年日常生活に快適さと便利さをもたらす電気製品、防犯設備、防災機器が数多く設置さている。炊飯器、電子ポット、マイクロ波調理器、冷蔵庫、冷凍庫、洗濯機、乾燥機等をはじめとする家電製品は、時間予約等の機能を備えることが多くなり、在宅中でも外出中でも動作することが可能である。防災機器としては、ガス漏れ感知器、火災感知器等、防犯設備としては、防犯機能つきの電子ロック、防犯カメラ、ドアや窓に設置されている防犯装置が多くなっている。
【０００３】
これらの電気製品をネットワークでつなぎ外部から操作することを目的に、業界団体が統一した規格を推進している。例えば、家電製品の制御及びモニタを規定した、日本電機工業会（The Japan Electrical Manufacturers' Association、略称JEMA）のＪＥＭ（日本電機工業会規格、Standards of The Japan Electrical Manufacturers' Association）１４２７（HA端子、JEM−A）規格がある。この規格は，ホームオートメーションシステムに，制御及びモニタされる作動の状態が２値で表現できる端末機器を接続する際の制御信号及びモニタ信号の伝送に用いるHA端子について規定しており、HA端子の構成，HA端子の電子管電圧及び絶縁性能，接続条件，性能，試験、HA端子及び端末機器の呼び方，表示，安全性・信頼性，HA端子の物理的条件などを規定している。
【０００４】
テレビ放送番組をビデオテープレコーダ（ＶＴＲ）、DVD録画機などの録画機器で録画して、番組の放送終了後、改めて見ることが多い。この録画機器に録画する番組を予約しておいて、外出中でも録画することがある。しかし、重要な番組を忘れたり、外出先で新たに録画したいという番組が出たりすると、外出先から前述の録画機器を操作して希望の番組を録画すると便利である。
【０００５】
また、帰宅時間に合わせて冷暖房機を稼動させたり、部屋の温度を調整することが、又はお風呂の湯沸かし器を稼動させてお湯の温度を調整することができると便利である。また、これらの電気製品の動作状況を在宅中又は外出中でも監視でき、異常事態発生に対しても即座に対応できることも重要である。
【０００６】
このように遠隔地から宅内の電気製品を監視し、制御できるニーズに対応できる遠隔監視制御システムが次の特許文献で開示されている。特許文献１では、家庭内にホームサーバを構築し、これを各電気製品と接続して、各電気製品の監視、制御を行っている。更に、ホームサーバはインターネットに接続されている。携帯電話機やパソコンを利用して、遠隔地からインターネットとホームサーバを経由して、各電気製品の状態を確認し、その制御を行うことが可能である。
【０００７】
特許文献２では、各家庭に、各電気製品の監視と制御を行うことができる制御装置を設置し、この制御装置を無線通信網又はインターネットを介して仲介センタにあるセンターサーバに接続している。客は、携帯通信端末機からこのセンターサーバに接続して、家庭内の電気製品の監視を行い、その制御を行っている。また、各電気製品に異常が発生すると、それを感知した制御装置がセンターサーバに連絡する。センターサーバは電気製品の異常発生について客の携帯端末機にメール、パケット通信を利用して連絡でき、客は異常発生に対して即座に対応することが可能である。
【特許文献１】特許公開２００１−３１３９８７号公報
【特許文献２】特許公開２００２−３２５２８８号公報
【発明の開示】
【発明が解決しようとする課題】
【０００８】
このように電気製品の監視を行い、それらを遠隔から操作をすることが可能である。また、防犯対策として不正侵入者を感知し、通報するシステムはあるが、これを外出先から操作することができると便利である。また、警備、セキュリティを業務としている業者が防犯専用のシステムを提供している。このシステムは、建造物内に人感センサ、ビデオカメラ等を設置し、専用の通信線で業務提供者と接続し、オンライン監視している。しかし、コストが高く、特に小規模の家宅、事務所には向かない。家宅に防犯専用のホームサーバを構築して監視することもある。この場合も、同様にコスト的に高くなる。
【０００９】
本発明は上述のような技術背景のもとになされたものであり、下記の目的を達成する。
本発明の目的は、建造物の不正侵入者、建造物に設置された設備、家電製品の動作状態等の監視を行い、制御するための遠隔監視制御システムを提供する。
本発明の他の目的は、インターネット網、有線又は無線等の通信網を利用して、建造物の不正侵入者、建造物に設置された設備、家電製品の動作状態等の監視を行い、制御するための遠隔監視制御システムを提供する。
【課題を解決するための手段】
【００１０】
本発明は、前記目的を達成するため、次の手段を採る。
本発明の遠隔監視制御システムは、情報を伝達する通信網（インターネット、無線通信、公衆有線通信網）接続するための通信端末機（モデム、ターミナルアダプタ、ルータ）と、電気機器の動作状態を示すステータスデータを受信し、前記電気機器に制御信号を送信するためのコントロール手段（コントロールユニット、ＩＲコントローラ）と、メモリに格納されているプログラムを実行して、前記通信端末機と通信し、かつ、前記コントロール手段と通信するための中央処理装置を備えたホームコントローラと、前記電気機器の監視を行うユーザについての情報が登録されたユーザデータ、前記通信端末機を識別するために割り当てた第１識別番号（ＩＰ）、前記コントロールユニットを識別するために割り当てた第２識別番号（ＩＤ）を有するデータベースと、前記データベースを記憶装置に記憶し、前記通信網に接続されたサーバと、前記ホームコントローラを前記通信網によって前記サーバ上で動作して遠隔操作するための遠隔監視制御プログラムと、前記ユーザが前記遠隔監視制御プログラムに対してデータを送信するための通信手段とからなる遠隔監視制御手段とから構成される。前記サーバと前記ホームコントローラは、前記通信網と前記通信端末機を介して通信可能である。
【００１１】
本発明の遠隔監視制御システムは次の特徴を有する。前記コントロール手段は、前記電気機器の動作状態を示す第１信号（コントロールユニットからホームコントローラへの信号）を前記ホームコントローラに送信し、前記ホームコントローラは、前記第１信号を用いて第２信号（ホームコントローラからサーバへの信号）を作成して前記サーバへ送信し、前記遠隔監視制御プログラムは、  前記ユーザデータ、前記第２信号、前記第１識別番号及び前記第２識別番号を用いて、前記電気機器を特定し、特定した前記電気機器の動作状況を前記ユーザに知らせる機能を有し、前記ユーザが前記ステータスデータの要求、及び／又は、前記電気機器を制御するための信号である第３信号を前記通信手段から前記サーバに送信したとき、前記第３信号、前記ユーザデータ、前記第１識別番号、及び前記第２識別番号を用いてコマンド信号を作成し、作成された前記コマンド信号を前記ホームコントローラに送信するものであり、前記ホームコントローラは、前記コマンド信号を受信し、前記コマンド信号の内容を解析して前記コントロール手段に送信し、前記前記コマンド信号の内容の実行を前記サーバに報告する。
【００１２】
また、前記プログラムは、前記電気機器の異常を監視するためのセキュリティモードを有し、前記セキュリティモードが設定されたとき、前記コントロール手段から前記ホームコントローラに送信されてくる前記第１信号が改めて設定された値と違うステータスデータを有する場合、前記プログラムは前記電気機器が異常であると判定し、前記異常の内容を有する前記第２信号を作成して前記サーバへ送信すると良い。
【００１３】
更に、前記電気機器は、建造物のドアの開閉、窓の開閉、窓ガラスの破壊を検知するためのセンサ手段、建造物の室内の状況を撮影するための撮影手段、音声を発生するための音声発生手段、前記建造物の室内の移動物体を検知するための移動物体検知手段の内１以上であり、前記プログラムは、前記センサ手段及び／又は前記移動物体検知手段の前記ステータスデータが異常であるとき、前記撮影手段で前記撮影、及び／又は前記音声手段で前記音声を発生すると良い。
【００１４】
更にまた、生態情報による個人認証、鍵、ボタンから選択される１以上による認証機能を有する前記コントロール手段、又は、前記ユーザが前記遠隔監視制御手段から制御信号を送信する遠隔制御手段により前記セキュリティモードが設定され若しくは前記セキュリティモードの設定が解除されると良い。
【００１５】
更にまた、前記プログラムは、前記センサ手段及び／又は前記移動物体検知手段の前記ステータスデータが異常であるとき、前記撮影手段で前記撮影し、予め設定された第１所定時間以内に前記セキュリティモードの設定が解除されないと、前記音声手段で前記音声を発生し、予め設定された第２所定時間以内に前記セキュリティモードの設定が解除されないと、前記音声手段で前記音声を発生し、前記異常の内容を有する前記第２信号を作成して前記サーバへ送信し、前記セキュリティモードの設定が前記遠隔監視制御手段のみから解除されるような設定になると良い。
【００１６】
更にまた、前記撮影手段で前記撮影した画像及び／又は映像は、前記撮影手段に接続されている記録媒体に記録され、及び／又は前記通信網に接続されて、前記ユーザ、前記サーバ、及び警備会社の中から選択される１以上に送信されると良い。
【００１７】
更にまた、前記サーバには、前記ユーザの専用のウェブページを作成し、前記ウェブページには前記電気機器の動作状態を示すデータが反映され、前記ユーザは、前記ユーザが所有する携帯端末機の前記インターネットへ接続サービス及び／又は、前記インターネットに接続されている電子計算機から前記ウェブページを閲覧し、前記電気機器の動作状態を把握し、前記ステータスデータの要求及び／又は、前記第３信号を前記サーバに送信すると良い。
【００１８】
更にまた、前記遠隔監視制御プログラムは、前記電気機器の動作状況を前記ユーザが閲覧している前記ウェブページに反映させて、及び／又は、前記ユーザの電子メールアドレスに電子メールを送信して知らせすると良い。
【００１９】
前記電気機器は、家電機器、防災機器、防犯機器、警備設備、介護機器、医療機器、環境測定機器、電源制御器、電力測定器、ＯＡ機器、赤外線によりコントロールされる機器、個人認証機器の中から選択される１以上であると良い。
【発明の効果】
【００２０】
本発明によると、次の効果が奏される。
本発明は、建造物の不正侵入者、建造物に設置された設備、家電製品の動作状態等の監視を遠隔から行い、これらの電気製品を遠隔から制御することが可能になった。
本発明は、建造物の不正侵入者を検知し、ユーザに知らせすることが可能になった。
【発明を実施するための最良の形態】
【００２１】
〔発明の概要〕
本発明の最良の実施の形態の説明をする。本発明の遠隔監視制御システムは、家庭、オフィス等の建造物内に設置され、建造物内の電気製品の監視、制御を行うことができるホームコントローラと、ユーザが持つ携帯端末機と、ネット上のどこかにあるサーバとからなる。以下、建造物内の家電製品、電気製品、電子機器、各種のセンサ等のすべての電気電子機器を、それぞれを特に強調しない限り、包括的にまとめて電気製品とする。
【００２２】
サーバ２は、ホームコントローラとユーザの携帯端末機の両方とネットワークを介して接続される。ホームコントローラは、各電気製品の動作状況等のステータスデータを取得してサーバに送信し、サーバはこれらの情報をユーザの携帯端末機に送信してユーザに連絡する。各電気製品の制御データはあらかじめサーバに入力設定・格納されている。各家庭内のホームコントローラはサーバに接続されることで、各電気製品の制御データの共有化が可能になる。
【００２３】
このようにユーザは、建造物内の電気製品の状態を知ることができるとともに、携帯端末機からそれらの電気製品を制御するための制御信号を、サーバを介してホームコントローラに送信することができる。ホームコントローラはこの制御信号を受信して、指定された電気製品を制御する。また、ユーザは、各電気製品の動作状況等のステータスデータを取得するために携帯端末機からその旨の指令を送信することができる。この指令は、サーバを介してホームコントローラに送信される。
【００２４】
ホームコントローラはこの指令を受信して、指定された電気製品の情報を上述と同様にユーザの携帯端末機に送信する。ユーザが監視を行う建造物についてのウェブページをインターネットに接続されているウェブサーバに開設しておき、ユーザはこのウェブページにアクセスすることでオンライン監視、そして制御を行う。
【００２５】
本発明の遠隔監視制御システムの詳細を説明する。図１は、本発明の遠隔監視制御システムの概要を図示している。図２は、家庭に設置されたホームコントローラを中心とする家庭内のネットワークを示す概念図である。図３は、サーバの概要を示す概念図である。図４は、ホームコントローラの概要を示す概念図である。図５は、遠隔監視制御システムの動作の概要を示すフローチャートである。
【００２６】
〔遠隔監視制御システムの構造〕
図１には、遠隔監視制御システムの概要を図示している。図１には、家宅１、サーバ２、携帯端末機３、４が表示されている。家宅１は、遠隔監視制御システムのホームコントローラ（後述する。）を設置する対象の家庭、オフィス等の建造物である。各電気製品の制御データはあらかじめサーバ２に入力されて格納されている。サーバ２は、ホームコントローラから送信されてくる各電気製品のステータスデータを蓄積し、ユーザの携帯端末機３と連絡をするための電子計算機である。サーバ２は、ホームコントローラと、ユーザの携帯端末機３と通信可能な環境であればどのような場所であっても良い。
【００２７】
サーバは、例えば、遠隔監視制御システムを提供する業務を行う業者の管理センタ内に設置されていても良い。携帯端末機３は、家宅１、家宅１内の電気製品の監視を行い、その制御をするユーザが所有し、サーバ２と通信可能な電子端末である。以下、携帯端末機３は、別途の説明が無い限り携帯電話機を前提に記述する。
【００２８】
家宅１内のホームコントローラとサーバ２は、インターネット６によって接続され、データの送受信が可能になっている。家宅１からは一般加入電話網、FTTH、などの公衆通信網によってISPに接続し、これを介してインターネット６に接続されても良い。または、インターネット接続サービスを行っている業者が提供する、ADSL回線、CATV回線を利用して接続されても良い。
【００２９】
携帯端末機３は、携帯電話、PHS電話サービス等を提供する無線通信網７に接続されている。サーバ２は、この無線通信網７に専用線で接続され、高速な通信を実現しても良い。これにより、サーバ２と携帯端末機３がデータ通信を行うことができる。また、携帯端末機３は、無線通信網７が提供するインターネット接続サービスを利用しても良い。以下、携帯端末機３は、無線通信網７が提供するインターネット接続サービスを利用するものとする。携帯端末機３は、インターネット上のウェブページを閲覧できる画面５を有し、この画面５からウェブページに設けられたフォームの記入欄に記入可能になっている。
【００３０】
家宅１の情報についてのウェブページは、インターネットに接続されているウェブサーバに開設されている。ユーザはこのウェブページにアクセスしてオンライン監視、そして制御を行う。ウェブサーバは、サーバ２と同一又は別の電子計算機であっても良い。ここではサーバ２と同一の電子計算機として説明する。サーバ２は、ユーザの携帯端末機３の電子メールアドレスにメールを送り、サーバ２からユーザへの連絡が可能になる。ユーザは、携帯端末機３のブラウザ機能を利用して、ID、パスワードを用いて個人認証を行い、ユーザ専用のウェブページを閲覧し、その画面の中で家宅１内の電気製品を制御するための設定を行う。
【００３１】
〔ホームコントローラの構造〕
図２は、家宅１内の家宅ネットワーク１０を示す概念図である。家宅ネットワーク１０は、家宅１に設置されたホームコントローラ１１を中心として構築される。家宅ネットワーク１０は、ホームコントローラ１１、ルータ１２、電子機器操作ユニット群１３等から構成されている。ルータ１２は、インターネット６に接続するためのものである。ルータ１２は、インターネット６に接続し、サーバ２とホームコントローラ１１との通信を可能にする。
【００３２】
ホームコントローラ１１は、家宅１内の電気製品を監視し、操作するためのメインの制御機器で、自発的に、又はサーバ２からの指示により電気製品の動作状態を取得して、そのデータをサーバ２に送信し、サーバ２から送信されてきたコマンドやデータを元に各電気製品を操作する機能を有する。ホームコントローラ１１は、インターネット６への接続する環境が整備出来ない場所では、パケット通信端末などを用いた無線回線を経由してサーバ２と接続される（図示せず。）。
【００３３】
電子機器操作ユニット群１３は、電気製品に接続されて動作し、電気製品のステータスデータを取得し、電気製品を操作するための各種のコントロールユニット１４〜１８である。警備設定ユニット１４は、一種のコントロールユニットである。警備設定ユニット１４は、指紋認証、虹彩認証等の生態認証器を内蔵し、これによりユーザの認証を行い、家宅ネットワーク１０の監視設定、その解除を行うためのコントロールユニットである。
【００３４】
電子機器操作ユニット群１３の各コントロールユニット１４〜１８は、ホームコントローラ１１にマルチ接続されている。各コントロールユニット１４〜１８には制御対象の電気製品２１〜２４がそれぞれ接続されている。電子機器操作ユニット群１３のコントロールユニット１４〜１８は、家宅１内に設置された各種の電気製品、センサ、開閉駆動機、電源制御機器に接続されて使用され、それぞれのステータスデータを取得し、制御するためのものである。一つのコントロールユニット１４〜１８には基本的に一つの電気製品が接続される。
【００３５】
図２には、コントロールユニット１４〜１８によって制御される機器として代表的な４台だけを図示している。ここで、代表的なものを示す。コントロールユニット１５は、浴室の給湯器コントローラ、家宅１の電気錠コントローラ、家宅１の各窓等の電動雨戸、換気扇などの各種の電気製品２１の電源コードが接続されており、それぞれの開閉、電源の接続切断といった制御を行う。また、各部屋や玄関等の照明機器の電源コードが接続されることで、照明のステータスデータをホームコントローラ１１に知らせるとともに、照明のON／OFFを制御することもできる。
【００３６】
また、コントロールユニット１５を写真撮影、映像撮影機能を備えたカメラ等に接続して、写真撮影、映像撮影を行うことも可能である。この場合は、撮影された画像、映像、写真は撮影機器に保存されるか、それらの機器に接続されているパソコン、録画器等の記憶メディアに保存されても良い。無論、これらの装置がインターネット６に接続されていることにより、登録されたアドレスにメール送信することも可能である。
コントロールユニット１６は、各種のセンサ２２に接続されており、センサ２２から送信される検知信号を受信し、ホームコントローラ１１に送信する。センサ２２には家宅１の玄関、家宅１内のドアや窓などに設置されその開閉を感知する侵入検知器、家宅１内又は家宅１周囲の人体を感知するための人感センサ、火災感知器、ガス漏れ感知器等の防犯防災検知器などがある。
【００３７】
コントロールユニット１７は、各種の測定機器２３に接続されており、測定機器２３の測定結果を受信し、ホームコントローラ１１に送信する。測定機器２３には家宅１の各部屋に設置された室温測定器、家宅１の電力・ガス使用計器などが考えられる。また、宅内に被介護者、患者がいる場合には、測定機器２３として体温・脈拍測定器、血圧測定器を使用し、コントロールユニット１７に接続することで在宅医療、在宅介護などに役立てることもできる。また、介護要請をするボタン、緊急ボタン等に接続して使用することも可能である。
【００３８】
赤外線コントロールユニット１８およびIRコントローラ１９は、赤外線リモートコントローラで制御されているエアコン、テレビ、ビデオテープレコーダ（VTR）やDVD録画器等の録画器、音響システム等の電気製品２４、２５の操作を行う。IRコントローラ１９は、ホームコントローラ１１のIR出力端子に直接接続されるもので、赤外線コントロールユニット１８は電子機器操作ユニット群１３に含まれ、他のコントロールユニット１５〜１７と同様マルチ接続されるものである。IRコントローラ１９と、赤外線コントロールユニット１８のどちらか一方だけで利用しても良い。
【００３９】
これら赤外線コントロールユニット１８とIRコントローラ１９は学習機能を有する。例えば、エアコンの設定温度が季節、当日の気温などにより変化するので学習機能を用いている。ホームコントローラ１１は、一般家庭のＡＣ１００Ｖ電源から電源供給されるための電源アダプタ２０を有する。また、ＡＣ１００Ｖ電源が停電等で使用不可能なときはバッテリ等から電源供給される。
【００４０】
〔サーバ２の構造〕
図３は、サーバ２の概要を示す概念図である。サーバ２は、入出力機器３１、通信網と通信するための通信用インターフェース３２を備え、記憶装置３３にはプログラム３４、データベース３５とウェブコンテンツ３６を格納している。また、サーバ２は、表示器３７、ＣＰＵ３８、ＲＡＭ３９、ＲＯＭ４０を備えている。記憶装置３３に格納されているプログラム３４は、遠隔監視制御プログラム４１、メールプログラム４２、外部連携用プログラム４３である。
【００４１】
遠隔監視制御プログラム４１は、ホームコントローラ１１とのデータの送受信、ウェブコンテンツ３６とメールプログラム４２とのやりとりを行うためのプログラムであり、遠隔監視制御システムのメインプログラムである。メールプログラム４２は、ユーザへ連絡するためのメールを作成し、作成されたメールを送信し、メール送信履歴等の管理を行うためのプログラムである。外部連携用プログラム４３は、遠隔監視制御システムと異なる他のシステムとの連係をとる場合に、利用されるプログラムである。
【００４２】
データベース３５は、ユーザ管理テーブル４５、パスワード管理テーブル４６、IP管理テーブル４７、ID管理テーブル４８、メーカ機器情報テーブル４９、メール情報テーブル５０、メッセージテーブル５１、ウェブページ管理テーブル５２等から構成される。ユーザ管理テーブル４５は、ユーザの氏名、管理識別番号、住所、連絡先、電子メールアドレス等のユーザに関するデータからなる。
【００４３】
パスワード管理テーブル４６は、ユーザがログインするとき、ユーザ認証を行うためのIDと、パスワードを管理するためのテーブルである。IP管理テーブル４７は、ユーザのルータ１２に割り振られたIPアドレスを管理するためのデータを有するテーブルである。ユーザのルータ１２に割り振られたIPアドレスは、必ずしも固定IPである必要はなく、ダイナミックDNSを使用することにより、URLアドレスからユーザの家宅１を特定しても良い。
【００４４】
ID管理テーブル４８は、ユーザの電気製品を操作、制御している電子機器操作ユニット群１３のコントロールユニット１１ごとに与えられた識別番号を管理するためのテーブルである。この識別番号は、全世界でユニークな６４ビットの番号であり、この識別番号で監視制御対象の機器を特定することができる。メーカ機器情報テーブル４９は、ユーザの電気製品を操作するためのデータからなるテーブルで、電気製品を供給しているメーカ、機種、型番ごとに管理している。
【００４５】
メール情報テーブル５０は、ユーザが登録した電子メールアドレスに送受信するメールを管理するためのテーブルである。メッセージテーブル５１は、ユーザが登録した電子メールアドレスに送受信するメールの様式、サンプル等を格納したテーブルである。ウェブページ管理テーブル５２は、ログインページやユーザが監視を行う家宅１の状況を確認するために作成された、ウェブコンテンツ３６のウェブページ用のデータを格納したテーブルである。
【００４６】
また、サーバ２は、遠隔監視制御システムを実現するための遠隔監視制御プログラム４１を格納している。遠隔監視制御プログラム４１は、無線通信網７とデータの送受信を行う無線通信機能と、インターネット６と通信する機能を有する。また、データベース３５へアクセスするデータベースアクセス機能などを有する。
【００４７】
ウェブコンテンツ３６は、各ユーザ専用に作成され、それぞれのユーザがアクセスできるようにしているウェブページ５３からなるHTMLコンテンツである。このユーザのウェブページ５３には、ユーザが監視を行う家宅１、その中の電気製品に関する情報が掲載され、ユーザがこれらの動作状態を携帯端末機３などで確認できるようになっている。また、管理者用のウェブページ５４があり、管理者がこのウェブページから遠隔監視制御システムの管理を行うことができる。遠隔監視制御システムの管理者は、ウェブページ５４から新規のユーザの登録、各ユーザの電気製品の登録をすることができる。
【００４８】
〔ホームコントローラの構造〕
図４は、ホームコントローラ１１の概要を示す概念図である。ホームコントローラ１１は、入出力機器１３１、Ｉ／Ｏ制御部１３２、表示器１３７、ＣＰＵ１３８、ＲＡＭ１３９、ＲＯＭ１４０を備えている。ＲＯＭ１４０には、ホームコントローラ１１を制御するためのプログラムが格納されている。表示器１３７は、ホームコントローラ１１の動作状況、ユーザに必要なデータを表示するためのものである。表示器１３７は、ホームコントローラ１１とルータ１２又は電子機器操作ユニット群などの接続されている機器との通信状態を示すＬＥＤである。
【００４９】
Ｉ／Ｏ制御部１３２は、ホームコントローラ１１とルータ１２や電子機器操作ユニット群１３など接続されている機器とのデータ通信を制御するためのものである。ホームコントローラ１１は、ＥＴＨＥＲＮＥＴ接続端子、２線式シリアルネットワークインターフェース、ＲＳ２３２Ｃインターフェース、赤外線送信インターフェースを有する。ＥＴＨＥＲＮＥＴ接続端子は、ルータ１２とＥＴＨＥＲＮＥＴケーブルで接続されて、通信を行うための端子である。２線式シリアルネットワークインターフェースは、電子機器操作ユニット群１３と接続されて通信を行うためのものである。
【００５０】
ＲＳ２３２Ｃインターフェースは、パケット通信端末機を接続するための端子である。ルータ１２によって、インターネット６に接続できない場合は、又は、携帯電話機等からパケット通信によって制御したいときに利用する。赤外線送信インターフェースは、IRコントローラ１９を接続するための端子である。ＣＰＵ１３８は、ＲＯＭ１４０に格納されているプログラムによって、ホームコントローラ１１の全体を動作させるための中央処理装置である。ＲＡＭ１４０は、ＲＯＭ１４０に格納されているプログラムが動作中に必要なデータが格納されるためのメモリである。
【００５１】
これらのメモリ内にはホームコントローラ１１と接続されているルータ１２や電子機器操作ユニット群１３との通信に必要なデータが格納される。各コントロールユニット１４〜１８は、それぞれケーブル接続用の２端子を有する。この２端子にＩＮ用とＯＵＴ用のケーブルを接続することで、コントロールユニット１４〜１８は延縄式に連結される。そして最近端のものがホームコントロール１１に接続される。ホームコントローラ１１は、電子機器操作ユニット群１３の各コントロールユニット１４〜１８と接続されるとき、信号ラインとグランドラインの２本の先で構成されるバスライン線を半二重伝送ラインとして使用する。
【００５２】
Ｉ／Ｏ制御部１３２から延びるこのバスライン線を途中から分岐させて、各コントロールユニット１４〜１８の制御部を、このバスライン線に接続している。即ち、各被制御機器の制御部はこのバスライン線にそれぞれぶら下がる形態となっている。伝送制御は、Ｉ／Ｏ制御部１３２が主導権を握っており、Ｉ／Ｏ制御部１３２から被制御機器の制御部への下り送信期間と、被制御機器の制御部からＩ／Ｏ制御部１３２への上り送信期間とを交互に設けている。
【００５３】
そして、下り送信および上り送信に際しては、下り送信の送信先も上り送信の送信元も、Ｉ／Ｏ制御部１３２が決定すると共に、この送信先あるいは送信元の被制御機器の制御部を順次切替えて、下り送信あるいは上り送信を行うことにより、すべての被制御機器の制御部と交信を行うことができる。このような制御方式をとっているので、電子機器操作ユニット群１３の各コントロールユニット１４〜１８の接続順序は任意である。
【００５４】
また、ホームコントローラ１１は、搭載されているＣＰＵ６４の種類を設定するための設定ジャンパを有する。または、ホームコントローラ１１は、Ｉ／Ｏ制御部１３２、特に、２線式シリアルネットワークインターフェースのバスラインの設定を行うための設定ジャンパを有すると良い。これにより、Ｉ／Ｏ制御部１３２から通信する、各コントロールユニット１４〜１８の順番などを決めるときに利用する。
【００５５】
〔遠隔監視制御システムの全体の動作概要〕
〔サーバ２とホームコントローラ１１との接続方法〕
サーバ２とホームコントローラ１１は、インターネット６を経由してTCPプロトコルで接続されデータの送受信を行う。ユーザが、携帯端末機３、４を用いてウェブページ５３からサーバ２に接続し、ホームコントローラ１１に対して確認や制御の要求をするときも、サーバ２からホームコントローラ１１に対してTCPプロトコルで接続する。ホームコントローラ１１は、家宅１内の電気製品の異常を検知しサーバ２に知らせするときも、ホームコントローラ１１からサーバ２に対してTCPプロトコルで接続する。ホームコントローラ１１とサーバは、TCPプロトコルを通じて、所定の時間の間に、例えば５分間、データの送受信が行われない場合は、ホームコントローラ１１がTCPプロトコルでの接続を切断する。
【００５６】
サーバ２と、ホームコントローラ１１との通信は、２通りのデータ通信が行われる。１つは、ホームコントローラ１１が家宅１内の電気製品の異常を検知したときに、サーバ２にその旨のアラーム信号を送信する。他方は、ユーザの指示などのよるサーバ２からホームコントローラ１１に送信するコマンドと、このコマンドに対する応答である。この応答は、ホームコントローラ１１からサーバ２へ送信されるものである。コマンドは、各電気製品のステータスデータの要求、電気製品の制御などである。ホームコントローラ１１の応答は、電気製品のステータスデータ、制御の結果などである。
【００５７】
サーバ２は、ホームコントローラ１１に対して１つのコマンドを送信し、その応答を待ち待機し、ホームコントローラ１１からの応答を受信したら次のコマンドを送信するポーリング形式をとる。サーバ２はホームコントローラ１１にコマンドを送信し、所定時間内にその応答がなくタイムアウトになった場合は、ユーザが閲覧している携帯端末機などの画面にエラーメッセージを出し、リトライボタンを表示する。ユーザがこのリトライボタンを選択すると、サーバ２はコマンドを再びホームコントローラ１１に送信する。
【００５８】
サーバ２は、ホームコントローラ１１とのTCPプロトコル接続がコネクションロスになった場合は、データ通信をしようとしている方がリトライを繰り返す。ホームコントローラ１１は、それに接続されているコントロールユニット１５〜１８についての情報は、内部のメモリには一切記憶しない。コントロールユニット１５〜１８についての全ての情報は、サーバ２から受信する。そのため、ホームコントローラ１１は、起動するとその旨を示すアラーム信号をサーバ２に送信する。サーバ２は、このアラーム信号に対して必要なデータとコマンドをホームコントローラ１１へ送信する。
【００５９】
〔動作概要〕
［家宅の電気製品の現在の動作状況の確認方法］
遠隔監視制御システムの動作の概要を説明する。図５のフローチャートは、遠隔監視制御システムの動作の概要を示している。ユーザは、家宅１の電気製品の現在の状態を知るためには、携帯端末機３のインターネット接続機能を利用して、ユーザ専用のウェブページ５３に入り、閲覧する（Ｓ１０）。このとき、ユーザは、パスワードによるユーザ認証を行う必要がある。ウェブページ５３から各電気製品の現在の状態を取得するための要求をサーバ２の遠隔監視制御プログラム４１に対して行う。
【００６０】
ユーザがウェブページ５３を閲覧するときに、ブラウザはそのページに表示される電気製品の状態を遠隔監視制御プログラム４１に要求する（Ｓ１１）。遠隔監視制御プログラム４１は、ユーザの要求を受信し（Ｓ１２）、ホームコントローラ１１へ送信するコマンドを作成する（Ｓ１３）。そして、遠隔監視制御プログラム４１は、ホームコントローラ１１とＴＣＰ接続を確立し、データ要求を示すコマンドをホームコントローラ１１に送信し（Ｓ１４）、その応答が来るまでに待機する（Ｓ１５）。
【００６１】
ホームコントローラ１１は、サーバ２からのコマンドを受信し、それを実行して結果を返信する。遠隔監視制御プログラム４１は、ホームコントローラ１１からの応答を受信し、ＨＴＭＬ形式で出力する（Ｓ１６）。ユーザが閲覧しているウェブページ５３に電気製品のステータスが反映される（Ｓ１７）。よって、ユーザは家宅１の電気製品の状態を確認することができる（Ｓ１８）。ユーザは閲覧しているブラウザのウィンドウを閉じると、家宅１の電気製品の状態の確認が終わる（Ｓ１９）。
【００６２】
〔ログイン、メインメニュー、確認画面の例〕
ユーザが携帯端末機３からユーザ専用のウェブページ５３にアクセスするときに携帯端末機３の画面５に表示される画面例を図６、７に図示す。図６のａは、ユーザ認証を行うときの画面例を示している。ユーザは、あらかじめデータベース３５のパスワード管理テーブル４６に登録されたＩＤとパスワードを用いてユーザ認証を行う。ユーザ認証が成功する表示される画面例は、図６のｂに図示された「メインメニュー」画面である。
【００６３】
この画面には、電気製品の動作状態の確認をするためのメニュー「動作状態の確認」６０が用意されている。このメニュー「動作状態の確認」６０に入ると表示される画面の例を図７に示す。この図７の画面には、ユーザが監視している電気製品の一覧が表示され、その動作状態が表示されている。
【００６４】
〔報告メール〕
遠隔監視制御システムは、ユーザに家宅１の電気製品の状況を定期的に監視し、ユーザにその報告をする。図８は、ユーザに家宅１の電気製品の現在の状況確認を報告する報告メールを作成し、ユーザに送信する手順を示すフローチャートである。遠隔監視制御プログラム４１は、報告メール作成するために、ユーザの家宅１のルータ１２に割り与えられたＩＰアドレスをデータベース３５のＩＰアドレス管理テーブル４７から取得する（Ｓ２０）。
【００６５】
遠隔監視制御プログラム４１は、ホームコントローラ１１へ送信するコマンドを作成する（Ｓ２１）。遠隔監視制御プログラム４１は、ＩＰアドレスあてに作成されたコマンドを送信する（Ｓ２２）。コマンドの送信が終わると、ホームコントローラ１１からの応答が到着するまで待機する（Ｓ２３）。ホームコントローラ１１から家宅１の電気製品のステータスデータを有する応答が到着すると、ユーザの連絡先をデータベース３５のメール情報テーブル５０から取得する（Ｓ２４）。
【００６６】
そして、メールプログラム４２は、報告メールの作成を行う（Ｓ２５）。メールプログラム４２は、作成された報告メールをユーザの携帯端末機３へ送信する（Ｓ２６）。このようにして、ユーザから家宅１の電気製品の状況確認を示す報告メールを、サーバ２で処理する一連の手順が終了する。図９には、この報告メールの例を図示している。図９のａは、家宅１の電気製品に異常があるか否かだけを示す簡単な報告メールの例である。
【００６７】
図９のｂは、家宅１の電気製品に異常があるか否か表示し、各電器製品の状態を細かく示した報告メールの例である。報告メールには、ユーザの氏名６１、家宅１の簡単な住所６２、確認日時６３、現在状況６４、６５が表示されている。確認日時６３は、家宅１の電気製品を確認したときの日時であり、月日時分で表示されている。現在状況６４，６５は、家宅１の電気製品を確認したとき、正常であったか否かを示すデータである。
【００６８】
〔ホームコントローラ１１での処理〕
図１０は、ホームコントローラ１１がサーバ２からのコマンドを受けて、その指示に従って処理する手順を示すフローチャートである。ホームコントローラ１１は、ルータ１２とインターネット６を介して通信してサーバ２からのコマンドを受信し、その応答を送信する。そのため、ホームコントローラ１１と接続されているルータ１２は、ネットから送信され家宅１のIPアドレスに送信されてくるデータを常時監視して待機している（Ｓ３０）。ホームコントローラ１１はコマンドを受信し（Ｓ３１）、コマンドの内容を解析する（Ｓ３２）。
【００６９】
家宅１の電気製品のステータスデータを要求する場合は、各コントロールユニット１５〜１８へ接続して、電気製品のステータスデータを要求する（Ｓ３３）。各コントロールユニット１５〜１８がステータスデータをホームコントローラ１１へ送信をする（Ｓ３４）。ホームコントローラ１１は、コントロールユニット１５〜１８からの返信を受信し、サーバ２のコマンドの応答を作成する（Ｓ３５）。作成されたコマンドの応答をサーバ２へ送信する（Ｓ３６）。コマンドの応答の送信が終了すると、次のコマンドが来るまで待機する（Ｓ３６→Ｓ３０）。このようにして、ホームコントローラ１１での一連の処理が終了する。
【００７０】
〔侵入者の検知と写真撮影〕
図１１は、家宅１への侵入を検知して警告、又は写真撮影を行うときの動作例である。ユーザは、留守にするとき遠隔監視制御システムを留守設定にする（Ｓ１０１）。ホームコントローラ１１は、各コントロールユニット１５〜１８にそれぞれ接続された機器を監視するように設定を行う（Ｓ１０２）。これにより、ドアや窓に設置されたセンサがその開閉を感知し、ドアや窓が開くと異常のステータスデータを出力するように設定される。家宅１内に設置された、赤外線による人感センサや、窓ガラス破壊による超音波で窓ガラスの破壊を検知する超音波センサも異常感知設定に設定される（Ｓ１０３）。
【００７１】
ドアセンサがドアの開き検知すると（Ｓ１０４）、撮影装置で写真撮影をする（Ｓ１０５）。そして、スピーカーから威嚇音が発生される（Ｓ１０６）。そして、ホームコントローラ１１は、センサの異常のステータスデータを受信し、アラーム信号をサーバ２に送信する（Ｓ１０７）。サーバ２は、家宅１に異常信号が発生した旨のメールを作成し、ユーザの携帯端末機３に送信する（Ｓ１０８）。ドアが開けられたときには、家宅１に何者かが侵入したと判断して、撮影装置で撮影をしている。
【００７２】
しかし、正当な利用者の場合は、ドアを正しい鍵で開くので遠隔監視制御システムの留守設定が解除され、各センサは異常のステータスデータを出力しない。しかし、誤動作するなどの場合は、改めて決められた手段で遠隔監視制御システムのセキュリティ設定を解除する。例えば、遠隔監視制御システムのセキュリティ設定を解除するボタンを押すこともその一例である。また、警備設定ユニット１４のユーザ認証によってセキュリティ設定を解除することもできる。
【００７３】
このように、遠隔監視制御システムのセキュリティ設定が解除されると、威嚇音の発生を停止する（Ｓ１０９、Ｓ１１３）。遠隔監視制御システムのセキュリティ設定が解除されない場合は、人感センサで移動体物を感知し、その付近の写真撮影をする（Ｓ１１０〜Ｓ１１２→Ｓ１０９）。撮影装置は、遠赤外線カメラであっても良い。撮影装置の変わりに又は同時に、録画装置を用い録画することも可能である。無論、音声だけを録音する録音も利用し、録音することも可能である（ホームコントローラ１１の音声マイク、スピーカーは図示せず。）。撮影されたこの画像、録画された映像、録音された音声のデータは、保存され、後日犯罪に関係するものであれば証拠とすることが可能である。
【００７４】
〔異常報告するメールの例〕
図１２には、サーバ２からユーザに送られるメールの例を図示している。メールには、ユーザの氏名、異常確認時間が表示されている。そして、どのような異常であったかを示すメッセージ「玄関ドアセンサの異常が確認されました。」（図１２のａ）、「侵入者が確認されました。」（図１２のｂ）が表示されている。また、「警備業者に連絡メールを送信しました。他の緊急連絡先の電話番号は０３−１２３４−＊＊＊＊です。」などとあらかじめ決められた対応をすることも可能である。
【００７５】
〔侵入者検知の別の例〕
図１３は、侵入者を検知する別例を示すフローチャートである。人感センサでドアが開くのを、又は人の侵入を感知、撮影装置によって写真撮影を行う（Ｓ３２０〜Ｓ３２２）。この撮影装置による撮影は、家宅１の正当な使用者、侵入者、ドア、窓の開閉等の移動物体を検知したときに、家宅１内を撮影する。家宅１の利用者が所定時間内、例えば２０秒以内にセキュリティ解除ボタンを押さないとスピーカーから威嚇音を発生し始める（Ｓ３２３〜Ｓ３２５）。
【００７６】
そして、更に所定時間内、例えば１０秒間以内にセキュリティ解除ボタンを押さないとサーバ２への通知を始める（Ｓ３２６〜Ｓ３２８）。なお、セキュリティ解除ボタンを押すか否かで、正当な使用者か否かを判断している。セキュリティ解除ボタンは、警備設定ユニット１４（図２を参照）によるユーザ認証であっても良い（Ｓ３３０、Ｓ３３１）。このように、サーバ２への通知が開始されると（Ｓ３２８）、セキュリティ解除ボタンによるセキュリティの解除ができなくなり、写真撮影を連続して行う（Ｓ３２９→Ｓ３２１）。この場合、下述のように、ユーザの携帯端末機３からセキュリティ解除の指示をしてセキュリティの解除を行う。
【００７７】
〔設定の例〕
図１４には、このセキュリティ解除の例を示している。図６（ｂ）の「標準設定一覧」６６のメニューから入ると、図１４（ａ）の画面が表示される。この画面では、遠隔監視制御システムを設定するためのセキュリティ設定の一覧を表示している。セキュリティ設定は、複数設けられており、それぞれを設定することが可能になっている。設定するときは、家宅１の電気製品一覧が表示され、それぞれの細かい設定をすることも可能である（図示せず）。そして、現在設定されている設定に入る（この場合は「標準留守設定」になっている。）と、図１４（ｂ）の画面が表示される。こので、セキュリティ設定の解除を行うことができる。
【００７８】
図１５には、電気製品を制御するための設定を示す画面例を示している。ここでは、電気製品の現在の状況と、変更可能な各設定が表示される。図１５（ａ）は、ＡＶ機器の制御行う例である。ここでは、ＡＶ機器（ＤＶＤ）は、録画中になっており、その停止又は新たに録画の予約を追加できるようになっている。録画の予約を追加するときは、録画を開始する日時と、チャネルを設定する。このようにして録画の予約をすると、外出先から希望する番組を漏れなく録画することができる。
【００７９】
図１５（ｂ）は、エアコンの制御を行う例である。ここでは、エアコンは停止状態になっており、エアコンの稼動の設定を行うことができる。エアコンの稼動は、５分後、１０分後などと稼動を開始する時間を指定し、温度の設定もできるようになっている。ユーザは、帰宅前にこのように設定すると、帰宅時にはエアコンが稼動していて部屋は指定した温度に調整されているため、快適である。
【００８０】
〔ウェブページ〕
図３に示すウェブコンテンツ３６には、ユーザは、ユーザが所持している携帯端末機３、４からアクセスすることが可能であり、家宅に関する情報を見たり、各種設定を行ったりすることが可能である。これについては上述のように説明してきた。また、ユーザは、インターネット６に接続されているパーソナルコンピュータ等からアクセスし、ユーザ専用のウェブページ５３（図３を参照）にアクセスすることができる。遠隔監視制御システムは、ユーザがどの種類の端末からアクセスしているかを自動認識し、その端末の処理能力を考慮しその端末に適した形式のコンテンツを提供する。
【００８１】
例えば、ユーザが携帯電話機からアクセスすると、図６、７に示すような画面のコンテンツを提供する。ユーザがパーソナルコンピュータからアクセスするときは、図１６〜１８に示すようなコンテンツを提供する。ユーザは、インターネット６に接続されて動作しているパーソナルコンピュータ等のブラウザを起動させて、ウェブページ５３を閲覧する。
【００８２】
図１６〜１８について説明する。ユーザが、ウェブページ５３にアクセスするときに、ユーザがログイン情報を入力してユーザ認証を行うための「ログイン」領域１０１、遠隔監視制御システムのメインメニューを表示するための「メインメニュー」領域１０２、メインメニューで選択されたメニューを表示するための「表示」領域１０３が表示される。最初は、ユーザのログイン名、パスワードでユーザ認証を行うことが必要である。ユーザ認証は、「ログイン」領域１０１で、図６（ａ）と同様にログイン名と、パスワードを用いて行われる。
【００８３】
「メインメニュー」領域１０２は、図６（ｂ）に示した携帯端末から閲覧するメニューと基本的に同じではあるが、より豊かで見やすくなっている。「表示」領域１０３には、電気製品の現在の状況を表示している。これは図７と基本的に同じ画面である。ここでは、これらのデータを印刷できるように印刷用画面（図示せず、詳細な説明は省略）へのリンク１０４が表示されている。
【００８４】
図１７の「表示」領域１０３には、電気製品の制御を行う画面を表示している。これはＡＶ機器（ＤＶＤ）の例である。図１５（ａ）と基本的に同じ画面である。ＡＶ機器（ＤＶＤ）で録画できる予約のメニューが豊富になっており、設定確認もできるようになっている。図１８の「表示」領域１０３には、電気製品の制御を行う画面を表示している。これはエアコンの例である。図１５（ｂ）と基本的に同じ画面であり、設定確認ができるようになっている。
【００８５】
〔管理者用のウェブページ〕
遠隔監視制御システムに新しいユーザが入ると、管理者がユーザの登録をする。この登録をする画面例を図１９、２０に示している。管理者は、図１９の画面から新規のユーザに関する基本的な情報を登録する。ユーザ名、初期のパスワード、ユーザのルータ１２に割り当てられたＩＰアドレス、連絡先のメールアドレス等である。また、家宅１内の電気製品の状態を定期的にメールで通報するかを示す「定時通報メール」、家宅ネットワーク１の立ち上げ時にメールで通報するかを示す「立ち上げメール」、スタンバイ時間、ブザーの
鳴動時間等の欄がある。
【００８６】
また、図２０の画面からは、ユーザの家宅１の電気製品を登録するためにそれらの製品をグループに分けて登録する。グループの登録は、グループ名を「グループ名」に記入して「登録」ボタンを押して登録する。ここでは、家宅１の玄関、キッチン、セキュリティなどと電気製品の種類、設置又は配置した場所ごとに分類して登録している。また、画面の下側には、宅内の電気製品等を制御するコントロールユニット１４〜１９を登録するためのメニューである「モジュール登録メニュー」、その設定を行うための「ユニット設定メニュー」が表示されている。図１９、２０から登録した登録情報は、データベース３５の各テーブルに登録される。
【産業上の利用可能性】
【００８７】
本発明は、建造物の不正侵入者の感知を行う防犯セキュリティの分野において利用されると良い。また、建造物に設置された設備、電気製品の動作状態等の監視や制御を行う、遠隔監視、遠隔制御、セキュリティ対策、防災対策、環境監視、停電対策等の分野に利用されると良い。在宅医療、介護のためのシステムに利用すると良い。
【図面の簡単な説明】
【００８８】
【図１】図１は、本発明の遠隔監視制御システムの全体の概要を図示した図である。
【図２】図２は、家庭内ネットワークを概念的に示す図である。
【図３】図３は、サーバの構成概要を示す概念図である。
【図４】図４は、ホームコントローラ１１の概要を示す概念図である。
【図５】図５は、遠隔監視制御システムの全体の動作の概要を示すフローチャートである。
【図６】図６は、携帯端末機３の画面５に表示される画面例である。
【図７】図７は、携帯端末機３の画面５に表示される画面例である。
【図８】図８は、サーバで、ユーザへの報告メールを作成し送信する手順を示すフローチャート  である。
【図９】図９は、報告メールの例を図示した図である。
【図１０】図１０は、ホームコントローラ１１がサーバ２からのコマンドを受けてその指示に従って処理する手順を示すフローチャートである。
【図１１】図１１は、家宅１への侵入を検知して警告、又は写真撮影を行うときの動作例を示すフローチャートである。
【図１２】図１２は、サーバ２からユーザに送信するメールの例を図示した図である。
【図１３】図１３は、家宅への侵入者を検知する例を示すフローチャートである。
【図１４】図１４は、セキュリティの設定、その解除をする画面例を示す図面である。
【図１５】図１５は、電気製品を制御するための設定の画面例を示す図面である。
【図１６】図１６は、ユーザがパーソナルコンピュータからアクセスするときのユーザ専用のウェブページの例を示す図面である。
【図１７】図１７は、ユーザがパーソナルコンピュータからアクセスするときのユーザ専用のウェブページの例を示す図面である。
【図１８】図１８は、ユーザがパーソナルコンピュータからアクセスするときのユーザ専用のウェブページの例を示す図面である。
【図１９】図１９は、管理者がユーザの登録をする画面例を示す図面である。
【図２０】図２０は、管理者がグループ登録をする画面例を示す図面である。
【符号の説明】
【００８９】
１・・・家宅
２・・・サーバ
３、４・・・携帯端末機
５・・・画面
６・・・インターネット
７・・・無線通信網
１０・・・家宅ネットワーク
１１・・・ホームコントローラ
１２・・・ルータ
１３・・・電子機器操作ユニット群
１４、１５、１６、１７、１８・・・コントロールユニット
１９・・・IRコントローラ
２０・・・電源アダプタ
２１、２４、２５・・・電気製品
２２・・・センサ
２３・・・測定機器
３１・・・入出力機器
３２・・・通信用インターフェース
３３・・・記憶装置
３４・・・プログラム
３５・・・データベース
３６・・・ウェブコンテンツ
３７・・・表示器
３８・・・ＣＰＵ
３９・・・ＲＡＭ
４０・・・ＲＯＭ
４１・・・遠隔監視制御プログラム
４２・・・メールプログラム
４３・・・外部連携用プログラム
４５・・・ユーザ管理テーブル
４６・・・パスワード管理テーブル
４７・・・IP管理テーブル
４８・・・ID管理テーブル
４９・・・メーカ機器情報テーブル
５０・・・メール情報テーブル
５１・・・メッセージテーブル
５２・・・ウェブページ管理テーブル
５３・・・ウェブページ
５４・・・管理者用のウェブページ
６１・・・入出力機器
６２・・・Ｉ／Ｏ制御部
６３・・・表示器
６４・・・ＣＰＵ
６５・・・ＲＡＭ
６６・・・ＲＯＭ
１０１・・・「ログイン」領域
１０２・・・「メインメニュー」領域
１０３・・・「表示」領域
【図１】
2006092035.tif 000003
【図２】
2006092035.tif 000004
【図３】
2006092035.tif 000005
【図４】
2006092035.tif 000006
【図５】
2006092035.tif 000007
【図６】
2006092035.tif 000008
【図７】
2006092035.tif 000009
【図８】
2006092035.tif 000010
【図９】
2006092035.tif 000011
【図１０】
2006092035.tif 000012
【図１１】
2006092035.tif 000013
【図１２】
2006092035.tif 000014
【図１３】
2006092035.tif 000015
【図１４】
2006092035.tif 000016
【図１５】
2006092035.tif 000017
【図１６】
2006092035.tif 000018
【図１７】
2006092035.tif 000019
【図１８】
2006092035.tif 000020
【図１９】
2006092035.tif 000021
【図２０】
2006092035.tif 000022